(57)【要約】【課題】  遊技盤の遊技機枠への着脱作業を電源ＯＮのまま行っても、遊技盤に設けられた回路素子を破壊させず、電源ＯＦＦ操作せずに遊技盤の着脱作業を可能としたパチンコ機を提供する。【解決手段】  遊技盤１が遊技機枠２に対して着脱自在で、これら遊技盤及び遊技機枠間の各電源ライン及び信号ライン相互を接離自在に接続する接続手段４を備えたパチンコ機において、複数の導電体４１と、この導電体に、遊技盤の遊技機枠への装着時に弾性をもって接触、導通する複数の軸状接触子４３とで接続手段４を構成する。複数の軸状接触子４３を、電源ライン用と信号ライン用の２種類に分け、前者の接触子４３ａを後者の接触子４３ｂよりも長く形成し、一方を遊技盤側、他方を遊技機枠側に配設する。遊技盤側の回路１１〜１３において、電源遮断状態における信号の送受信をなくし、ラッチアップ等の障害発生をなくす。【選択図】        図１
2005160622.tif 000002
【特許請求の範囲】
【請求項１】
遊技球が打ち込まれる遊技領域に各種盤面構成部品が取り付けられた遊技盤と、この遊技盤が着脱自在に装着される遊技機枠と、この遊技機枠及び前記遊技盤に各々設けられた回路の各電源ライン及び信号ライン相互を接離自在に接続する接続手段を備えるパチンコ機において、
前記接続手段は、遊技盤が遊技機枠に装着される際には前記回路の電源ライン相互が接続された後にその回路の信号ライン相互が接続され、遊技盤が遊技機枠から取り外される際には前記回路の信号ライン相互が離された後にその回路の電源ライン相互が離されるように構成されたことを特徴とするパチンコ機。
【請求項２】
遊技球が打ち込まれる遊技領域に各種盤面構成部品が取り付けられた遊技盤と、この遊技盤が着脱自在に装着される遊技機枠と、この遊技機枠及び前記遊技盤に各々設けられた回路の各電源ライン及び信号ライン相互を接離自在に接続する接続手段を備えるパチンコ機において、
前記接続手段は、
複数の導電体と、各先端部が、前記遊技盤の前記遊技機枠への装着の際には前記複数の導電体に各別に対向する位置に配置され、かつ前記装着の後には対向する前記導電体に弾性をもって当接し導通する複数の軸状接触子とを備え、
この複数の軸状接触子は、電源ライン接続用と信号ライン接続用の２種類に分けられ、前記遊技盤の前記遊技機枠への非装着時における軸方向長さにつき、前記電源ライン接続用の軸状接触子が前記信号ライン接続用の軸状接触子よりも長く設定されて前記遊技盤又は遊技機枠に設けられ、
前記複数の導電体は前記遊技機枠又は遊技盤に設けられることを特徴とするパチンコ機。
【発明の詳細な説明】
【技術分野】
【０００１】
本発明は、遊技盤を遊技機枠に対して着脱自在に構成したパチンコ機に関するものである。
【背景技術】
【０００２】
パチンコ機は、遊技盤、遊技機枠、前面扉（前面枠を含む。）を備えて構成されている。このうち遊技盤は最も重要な部分であり、その盤面には、レール、図柄表示装置、入賞口、風車、ランプ等、種々の盤面構成部品が設けられると共に、その機種名（愛称）に合わせ、種々にデザインされた装飾も施されており、その機種の人気を左右する要素にもなっている。
これに対して、遊技機枠や前面扉は比較的汎用性を持たせることができるので、従来から、遊技盤を遊技機枠や前面扉に対して着脱自在に構成し、不人気の、あるいは古くなったパチンコ機の入替えを、主に遊技盤の交換によって対処できるようにしたものがある。
【０００３】
ここで遊技盤には、パチンコ機全般を統括制御する主制御回路や、図柄表示装置、ランプ等を制御するための副制御回路等が設けられ、遊技機枠には、電源回路や賞球払出制御回路等が設けられている。主制御回路や副制御回路は電源回路から電源供給を受ける必要があり、賞球払出制御回路は主制御回路から信号を受ける必要がある。その他にも、遊技盤及び遊技機枠相互間において送受信される信号もある。
したがって、遊技盤を遊技機枠や前面扉に対して着脱自在に構成する場合には、遊技盤及び遊技機枠相互間の配線も容易に接離でき、誤配線も生じない構成が望ましい。
【０００４】
ところで従来、遊技盤を前面扉に着脱自在としたパチンコ機において、遊技盤に設けられる複数の電気部品を誤配線することなく接続できるようにしたものに、例えば、下掲特許文献１に記載のパチンコ機があった。
これは、遊技盤に設けられた電気部品から延びる配線を、遊技盤裏面側に設けられたターミナルの部品側コネクタに個々に接続された状態で遊技盤を完成させる。そして、遊技盤の交換時、遊技盤を前面扉の遊技盤取付枠に取り付けた後、同遊技盤に設けられた電子制御回路から延びる配線を上記ターミナルの制御側コネクタに接続することにより、遊技盤に設けられた複数の電気部品から電子制御回路への配線を誤配線の虞なく、かつ極めて簡単に行えるというものである。
【特許文献１】特許第２５７０２１２号公報（段落番号［００１２］、［００１９］）
【発明の開示】
【発明が解決しようとする課題】
【０００５】
しかしながら上述従来技術においては、遊技盤及び遊技機枠相互間の電源ライン及び信号ラインの接続については何ら配慮されてなく、次のような問題点があった。
すなわち上述従来技術においては、遊技盤及び遊技盤外の構成部分相互間の電源ラインの配線をカップラーを用いて行っている。この技術を、遊技盤及び遊技機枠相互間の電源ライン及び信号ラインを接続する場合に適用すると、電源ラインが活線状態である場合に、遊技盤に設けられた制御回路中の半導体素子がラッチアップ等により破壊される虞があった。
このような半導体素子の破壊は、パチンコ機への電源を一旦ＯＦＦしてから電源ライン及び信号ラインの各カップラーを挿脱することで解消されるが、これでは遊技盤の遊技機枠に対する着脱（従来技術においては前面扉を介しての間接的な着脱）の際の作業が面倒になるという問題点があった。
本発明は、上記従来技術の問題点を解消するためになされたもので、遊技機枠に対する遊技盤の着脱作業をパチンコ機電源ＯＮのまま行っても、遊技盤に設けられた回路中の半導体素子の破壊を生じさせる虞がなく、遊技盤の着脱作業を簡易化できるパチンコ機を提供することを目的とする。
【課題を解決するための手段】
【０００６】
上記目的を達成するために、特許請求の範囲の請求項１に記載の発明は、遊技球が打ち込まれる遊技領域に各種盤面構成部品が取り付けられた遊技盤と、この遊技盤が着脱自在に装着される遊技機枠と、この遊技機枠及び前記遊技盤に各々設けられた回路の各電源ライン及び信号ライン相互を接離自在に接続する接続手段を備えるパチンコ機において、前記接続手段は、遊技盤が遊技機枠に装着される際には前記回路の電源ライン相互が接続された後にその回路の信号ライン相互が接続され、遊技盤が遊技機枠から取り外される際には前記回路の信号ライン相互が離された後にその回路の電源ライン相互が離されるように構成されたことを特徴とする。
また、特許請求の範囲の請求項２に記載の発明は、遊技球が打ち込まれる遊技領域に各種盤面構成部品が取り付けられた遊技盤と、この遊技盤が着脱自在に装着される遊技機枠と、この遊技機枠及び前記遊技盤に各々設けられた回路の各電源ライン及び信号ライン相互を接離自在に接続する接続手段を備えるパチンコ機において、前記接続手段は、複数の導電体と、各先端部が、前記遊技盤の前記遊技機枠への装着の際には前記複数の導電体に各別に対向する位置に配置され、かつ前記装着の後には対向する前記導電体に弾性をもって当接し導通する複数の軸状接触子とを備え、この複数の軸状接触子は、電源ライン接続用と信号ライン接続用の２種類に分けられ、前記遊技盤の前記遊技機枠への非装着時における軸方向長さにつき、前記電源ライン接続用の軸状接触子が前記信号ライン接続用の軸状接触子よりも長く設定されて前記遊技盤又は遊技機枠に設けられ、前記複数の導電体は前記遊技機枠又は遊技盤に設けられることを特徴とする。
【発明の効果】
【０００７】
特許請求の範囲の請求項１の発明によれば、遊技盤が遊技機枠に対して着脱自在に構成されたパチンコ機において、遊技機枠に対する遊技盤の着脱作業をパチンコ機電源ＯＮのまま行っても、遊技盤に設けられた回路中の半導体素子の破壊を生じさせる虞がなくなる。したがって、従来行っていた電源ＯＦＦの操作を省略しての作業が可能になり、遊技盤の着脱作業を簡易化できる。
また、請求項２の発明によれば、上述請求項１の発明の効果を、簡易な構成で確実に実現できる。
【発明を実施するための最良の形態】
【０００８】
以下、本発明の実施の形態を図面に基づき説明する。なお、各図間において、同一符号は同一又は相当部分を示す。
図１は、本発明によるパチンコ機の一実施形態の概略を示す斜視図で、遊技盤を遊技機枠に装着する時の様子を示している。図２は、図１中の遊技盤の正面（盤面）の概略を示す図、図３は、遊技盤が遊技機枠に装着されたときの接続手段の状態を遊技機枠裏面側から透視して示す図である。
【０００９】
図１〜図３に示すように、パチンコ機は遊技盤１と、この遊技盤１が装着される遊技機枠２と、遊技盤１の前面側に配置される前面扉３とを備えて構成されている。
本発明は、遊技盤１が遊技機枠２に対して着脱自在に構成されたパチンコ機に適用される。ここでは、遊技盤１は遊技機枠２に対して直接、着脱自在に構成される場合について説明するが、遊技盤１が前面扉３に対して着脱自在に構成される場合にあっても、間接的ではあるが、遊技盤１は前面扉３を介し遊技機枠２に対して着脱自在となるので、本発明が適用できることに変わりがない。
【００１０】
遊技盤１の遊技機枠２ヘの装着は、例えば図１中の矢印イに示すように、遊技盤１の左側端を遊技機枠２の凹陥状の遊技盤装着部２ａの左側壁にあてがい、位置合わせした上で、遊技盤１をその右側端から遊技機枠２側に閉じるよう回せばよい。遊技盤１裏面を上記遊技盤装着部２ａに対向させた状態で、遊技盤１を遊技機枠２側に平行移動するようにして装着してもよい。装着後、遊技盤１は図示しない止め具によって遊技機枠２に保持される。前面扉３は、遊技盤装着後に遊技盤１を覆うように閉じられ、遊技盤１の交換を完了する。
遊技盤１の遊技機枠２からの取り外し（離脱）は、上述装着時の手順とは逆の手順で行われる。
【００１１】
上記遊技盤１の盤面１ａ上（正面側）には、遊技球（図示せず）を遊技領域１ｂに誘導するレール１ｃ，１ｄ、図柄表示装置１ｅ、図柄始動入賞口１ｆ、通常の入賞口１ｇ、大入賞口１ｈ、風車１ｉ、ランプ１ｊ等、種々の盤面構成部品が設けられている。また、レール１ｃ，１ｄ内側の最下部にはアウト口１ｋが設けられ、各部品１ｃ〜１ｊやアウト口１ｋを避けた適宜箇所には、多数の遊技釘（図示せず）が打ち込まれている。更に盤面１ａには、図示しないが機種名（愛称）に合わせ、種々にデザインされた装飾も施されている。
遊技盤１の裏面側には、パチンコ機全般を統括制御する主制御回路１１、この主制御回路１１からの信号に基づいて図柄表示装置１ｅを制御する図柄制御回路１２、同じく主制御回路１１からの信号に基づいてランプ１ｊの点消灯や音声出力を制御する副制御回路１３等が設けられている。
【００１２】
遊技機枠２の正面側の下方には、遊技球の受け皿２１や、遊技球を発射するためのハンドル２２等が設けられている。ハンドル２２は、遊技者が回動させることにより遊技球発射装置（図示せず）を起動させ、上記受け皿２１内の遊技球を遊技領域１ｂ内に打ち込むことが可能である。
また遊技機枠２の裏面側の下方には、パチンコ機各部に電源を供給する電源回路２３や、遊技球の入賞口１ｆ〜１ｈへの入賞を検出した上記主制御回路１１からの信号を受けて賞球払出制御を行う賞球払出制御回路２４及び上記遊技球発射装置を制御する遊技球発射制御回路２５等が設けられている。
なお、上記遊技盤１及び遊技機枠２に設けられた回路１１〜１３，２３〜２５にはその殆どに半導体素子が含まれ、その半導体素子中にはラッチアップにより破壊される虞のあるＣＭＯＳ半導体素子が含まれている。
【００１３】
前面扉３は、前面枠３１と、この前面枠３１に保持された透明ガラス板３２とを備えてなり、ヒンジ３３によって、遊技機枠２に装着された遊技盤１の盤面１ａを開閉自在に遊技機枠２に支持されている。前面扉３を閉じると、上記盤面１ａの遊技領域１ｂが透明ガラス板３２で覆われ、遊技球の遊技領域１ｂからの離脱が阻止される。
【００１４】
上記遊技盤１には、上述したように主制御回路１１、図柄制御回路１２、副制御回路１３等が設けられており、これらの回路１１〜１３は、遊技機枠２に設けられた電源回路２３から電源供給を受ける必要がある。他方、遊技機枠２に設けられた賞球払出制御回路２４等は遊技盤１に設けられた主制御回路１１から信号を受ける必要がある。その他にも、遊技盤１及び遊技機枠２相互間において送受信される信号もある。
そこで、遊技盤１及び遊技機枠２相互間には、それらに設けられた回路１１〜１３，２３，２４等の各電源ライン及び信号ライン相互を接続する（電源ライン相互と信号ライン相互を各別に接続する）接続手段４を備える。遊技盤１は遊技機枠２に対して着脱自在に構成されているので、この接続手段４も、遊技盤１及び遊技機枠２間において、各電源ライン及び信号ライン相互を接離自在に接続するように構成されている。
【００１５】
本実施形態による接続手段４は、複数の導電体４１，４１…と、各先端部４２が、遊技盤１の遊技機枠２への装着の際には複数の導電体４１，４１…に各別に対向する位置に配置され、かつ上記装着の後には対向する上記導電体４１に弾性をもって当接し導通する複数の軸状接触子４３，４３…とを備える。そして、この複数の軸状接触子４３，４３…は、電源ライン接続用と信号ライン接続用の２種類（４３ａ，４３ｂ）に分けられ、遊技盤１の遊技機枠２への非装着時における軸方向長さにつき、電源ライン接続用の軸状接触子４３ａが信号ライン接続用の軸状接触子４３ｂよりも長く設定されて遊技盤１又は遊技機枠２に設けられる。また、上記複数の導電体４１，４１…は遊技機枠２又は遊技盤１に設けられる。
【００１６】
具体的には、複数の導電体４１，４１…は遊技盤１に設けられている。この導電体４１，４１…は、具体的には遊技盤中継基板１４上に形成された薄銅板からなる導電パターンであり、全部で２０個設けられている。
また複数の軸状接触子４３，４３…は、遊技機枠２に設けられている。複数、ここでは２０個の軸状接触子４３，４３…には、２個の１０ピンのスプリングコネクタ４４が用いられ、遊技機枠中継基板２６上に設けられている。
【００１７】
図４は上記１０ピンのスプリングコネクタ４４の一例を示す斜視図であり、図５はそのうちの１ピン（１個の軸状接触子４３）部分を取り出して示す図である。
図４から分かるように、軸状接触子４３は、遊技盤１の遊技機枠２への非装着時における、つまり先端部４２が後端方向に押圧されていない状態における軸方向（先後端方向）長さＬ（図５参照）、換言すればストローク長につき、長短２種類に分けられている。軸方向長さＬの長い軸状接触子４３ａは電源ライン接続用に、短い軸状接触子４３ｂは信号ライン接続用に使用される。
また図５から分かるように、各軸状接触子４３は、その本体をなす可動部５１の先端側部分が筒状ガイド５２の先端面から突出した状態でこのガイド５２内に保持され、可動部先端が後端方向（図中、下方）に押圧されたとき、これを元の位置に戻すように作用するコイルスプリング５３が上記ガイド５２内に挿入されてなる。
【００１８】
また図３に示すように、各軸状接触子４３は、先端部４２（図４参照）が、遊技盤１の遊技機枠２への装着の際には複数の導電体４１，４１…に各別に対向する位置に配置され、かつ上記装着の後には各々対向する導電体４１に弾性をもって当接し導通するように設けられている。
【００１９】
次に、遊技機枠２に対する遊技盤１の着脱時における接続手段４の動作について説明する。
図６は、遊技盤１が遊技機枠２に装着される直前の接続手段４の状態を図３中の矢印ロ方向から示す図である。
図示するように、遊技盤１が遊技機枠２に装着される際には、遊技機枠２側の電源ライン接続用の軸状接触子４３ａは、遊技盤１側の予め定められた電源ライン接続用の導電体４１ａに各別に対向している（図３参照）。また、遊技機枠２側の信号ライン接続用の軸状接触子４３ｂは、遊技盤１側の予め定められた信号ライン接続用の導電体４１ｂに各別に対向している（図３参照）。
電源ライン接続用の軸状接触子４３ａは、信号ライン接続用の軸状接触子４３ｂよりも長く設定されているので、遊技盤１を、図示状態から矢印ハに示すように遊技機枠２に近づけて行くと、電源ライン接続用の軸状接触子４３ａと電源ライン接続用の導電体４１ａとが先に接触し、その後に、信号ライン接続用の軸状接触子４３ｂと信号ライン接続用の導電体４１ｂとが接触して図７に示す状態に移行する。
【００２０】
図７は、遊技盤１が遊技機枠２に装着された後の接続手段４の状態を図６と同じ方向から示す図である。
図示するように、遊技盤１が遊技機枠２に装着された後には、電源ライン接続用の軸状接触子４３ａは電源ライン接続用の導電体４１ａに、また、信号ライン接続用の軸状接触子４３ｂは信号ライン接続用の導電体４１ｂに各々圧接し、導通する。
これにより、遊技盤１に設けられた主制御回路１１、図柄制御回路１２、副制御回路１３等には、遊技機枠２に設けられた電源回路２３から電源供給され、また、遊技機枠２に設けられた賞球払出制御回路２４等は遊技盤１に設けられた主制御回路１１からの種々の信号が受信される。
【００２１】
また、遊技盤１を遊技機枠２から取り外す場合には、各導電体４１及び軸状接触子４３は、図７に示す状態から図６に示す状態に移行する。すなわちこの場合は、信号ライン接続用の軸状接触子４３ｂが、これと接触している導電体４１ｂから離れ、その後に、電源ライン接続用の軸状接触子４３ａが、これと接触している導電体４１ａから離れる。
【００２２】
以上の実施形態によれば、遊技盤１を遊技機枠２に装着するときには、電源ライン接続用の軸状接触子４３ａがこれと対向する電源ライン接続用の導電体４１ａと先に接触し、遊技盤１及び遊技機枠２相互間の電源ラインが導通（接続）して電源供給が行われる。そして、その後に、信号ライン接続用の軸状接触子４３ｂがこれと対向する信号ライン接続用の導電体４１ｂと接触し、遊技盤１及び遊技機枠２相互間の信号ラインと導通（接続）して信号の送受信が行われる。
一方、遊技盤１を遊技機枠２から離脱するときには、上述装着時とは逆に、遊技盤１及び遊技機枠２相互間の信号が遮断された後に、電源が遮断される。
これによれば、遊技盤１に設けられた各回路１１〜１３において、電源が供給されない状態で信号が入力されることがなくなり、このような場合に上記回路１１〜１３中の半導体素子に生じていたラッチアップ等による破壊を防止できる。したがって、遊技機枠２側の電源が活線状態（パチンコ機電源がＯＮ）のままでも遊技機枠２に対する遊技盤１の着脱作業を行うことができる。つまり、パチンコ機電源を一旦ＯＦＦした後、ＯＮするというような作業が不要となり、遊技盤１の着脱作業が簡単になる。
しかも、その構成は図示するように簡単であり、また、電源ライン接続用の軸状接触子４３ａと信号ライン接続用の軸状接触子４３ｂとの軸方向長さＬやコイルスプリング５３のばね力の設定等によってラッチアップ等による回路素子の破壊をより確実に防止できる。
なお上述実施形態においては、接続手段４を構成する導電体４１として薄銅板からなる導電体を用い、軸状接触子４３としてスプリングコネクタ４４を用いたが、これのみに限定されないことは勿論である。
【図面の簡単な説明】
【００２３】
【図１】本発明によるパチンコ機の一実施形態の概略を示す斜視図である。
【図２】図１中の遊技盤の盤面の概略を示す図である。
【図３】同上遊技盤が遊技機枠に装着されたときの接続手段の状態を遊技機枠裏面側から透視して示す図である。
【図４】同上接続手段の軸状接触子として用いられるスプリングコネクタの一例を示す斜視図である。
【図５】図４に示すスプリングコネクタの１つのピン（軸状接触子）部分を取り出して示す図である。
【図６】遊技盤が遊技機枠に装着される直前の接続手段の状態を示す図である。
【図７】遊技盤が遊技機枠へ装着された後の接続手段の状態を示す図である。
【符号の説明】
【００２４】
１ｂ：遊技領域、１：遊技盤、２：遊技機枠、１１〜１３，２３〜２５：回路、４：接続手段、４１：導電体（導電パターン）、４３：軸状接触子、４３ａ：電源ライン接続用の軸状接触子、４３ｂ：信号ライン接続用の軸状接触子。
【図１】
2005160622.tif 000003
【図２】
2005160622.tif 000004
【図３】
2005160622.tif 000005
【図４】
2005160622.tif 000006
【図５】
2005160622.tif 000007
【図６】
2005160622.tif 000008
【図７】
2005160622.tif 000009